(57)【要約】【課題】作業性を確保しつつ過電流又は過放電を抑えることができるアダプタを提供する。【解決手段】アダプタ１３は、電池パック１２から出力される電圧及び電流の少なくとも一方を昇圧して負荷に供給する昇圧回路５１と、電池パック１２より出力される電圧、電池パック１２より出力される電流、モータ２３へ入力される電圧、モータ２３へ入力される電流、及び前記昇圧部の温度の少なくとも１つを検出する特性検出回路５６とを備える。アダプタ１３は、昇圧回路５１を制御して電池パック１２から出力される電圧及び電流の少なくとも一方を所定値まで昇圧するように制御するとともに、特性検出回路５６で検出された少なくとも１つの検出結果が過電流又は過放電とならないように、昇圧回路５１による電圧及び電流の少なくとも一方の昇圧を抑えるように制御する制御回路５５を備える。【選択図】図１
2014036521.tif 000002
【特許請求の範囲】
【請求項１】
電池パックから出力される電圧及び電流の少なくとも一方を昇圧して負荷に供給する昇圧部と、
前記電池パックより出力される電圧、前記電池パックより出力される電流、前記電池パックの温度、前記負荷へ入力される電圧、前記負荷へ入力される電流、及び前記昇圧部の温度の少なくとも１つを検出する特性検出部と、
前記昇圧部を制御して前記電池パックから出力される電圧及び電流の少なくとも一方を所定値まで昇圧するように制御するとともに、前記特性検出部で検出された少なくとも１つの検出結果が過電流又は過放電とならないように、前記昇圧部による電圧及び電流の少なくとも一方の昇圧を抑えるように制御する制御部と、
を備えたことを特徴とするアダプタ。
【請求項２】
請求項１に記載のアダプタにおいて、
前記制御部は、前記特性検出部で検出された少なくとも１つの検出結果が過電流又は過放電とならないように、前記所定値以下の範囲で昇圧を抑えるように制御することを特徴とするアダプタ。
【請求項３】
請求項１又は２に記載のアダプタにおいて、
前記特性検出部は、前記負荷に入力される電圧を検出するものであり、
前記制御部は、前記特性検出部で検出された電圧値により過電流又は過放電とならないように、前記昇圧部による電圧及び電流の少なくとも一方の昇圧を抑えるように制御することを特徴とするアダプタ。
【請求項４】
請求項１又は２に記載のアダプタにおいて、
前記特性検出部は、前記電池パックから供給される電圧を検出するものであり、
前記制御部は、前記特性検出部で検出された電圧値により過電流又は過放電とならないように、前記昇圧部による電圧及び電流の少なくとも一方の昇圧を抑えるように制御することを特徴とするアダプタ。
【請求項５】
請求項１又は２に記載のアダプタにおいて、
前記特性検出部は、前記負荷へ入力される電流又は前記電池パックから出力される電流を検出するものであり、
前記制御部は、前記特性検出部で検出された電流値により過電流又は過放電とならないように、前記昇圧部による電圧及び電流の少なくとも一方の昇圧を抑えるように制御することを特徴とするアダプタ。
【請求項６】
請求項１又は２に記載のアダプタにおいて、
前記特性検出部は、前記電池パックの温度又は前記昇圧部の温度を検出するものであり、
前記制御部は、前記特性検出部で検出された温度により過電流又は過放電とならないように、前記昇圧部による電圧及び電流の少なくとも一方の昇圧を抑えるように制御することを特徴とするアダプタ。
【請求項７】
請求項１又は２に記載のアダプタにおいて、
前記特性検出部は、前記電池パックより出力される電流、前記電池パックの温度、前記負荷へ入力される電圧、前記負荷へ入力される電流、及び昇圧部の温度の少なくとも２つを検出するものであり、
前記制御部は、前記特性検出部で検出された少なくとも２つの検出結果により過電流又は過放電とならないように、前記昇圧部による電圧及び電流の少なくとも一方の昇圧を抑えるように制御することを特徴とするアダプタ。
【請求項８】
請求項１又は２に記載のアダプタにおいて、
前記特性検出部は、前記電池パックから出力される電流又は前記負荷へ入力される電流と、前記電池パックから供給される電圧又は前記負荷へ入力される電圧とを検出するものであり、
前記制御部は、前記特性検出部で検出した電流値が所定の電流値に達した場合で、且つ前記特性検出部で検出した電圧値が所定の電圧値以下になった場合、前記昇圧部を停止して前記電池パックから供給される電圧を前記負荷に供給することを特徴とするアダプタ。
【請求項９】
請求項１又は２に記載のアダプタにおいて、
前記特性検出部は、前記電池パックの温度と、前記電池パックより出力される電流とを検出するものであり、
前記電池パックの温度に応じて前記電池パックから出力される電流値が参考電流値として記憶される記憶部を備え、
前記制御部は、前記特性検出部で検出された前記電池パックの温度に予め対応付けて前記記憶部に記憶される参考電流値を参照し、前記特性検出部で検出された前記電池パックより出力される電流値と前記参考電流値とを比較し、前記参考電流値よりも前記電池パックより出力される電流値が高い場合は前記昇圧部による電圧及び電流の少なくとも一方の昇圧を抑えるように制御することを特徴とするアダプタ。
【請求項１０】
請求項１〜９のいずれか一項に記載のアダプタにおいて、
前記制御部は、第１の過電流用閾値と、該第１の過電流用閾値よりも過電流側となる第２の過電流用閾値とを有し、前記特性検出部で検出された検出結果が過電流とならないように、前記第１の過電流用閾値に達すると前記昇圧部による電圧及び電流の少なくとも一方の昇圧を抑えるように制御し、前記第２の過電流用閾値に達すると前記負荷の動作を停止させることを特徴とするアダプタ。
【請求項１１】
請求項１〜１０のいずれか一項に記載のアダプタにおいて、
前記制御部は、第１の過電圧用閾値と、該第１の過電圧用閾値よりも過放電側となる第２の過電圧用閾値とを有し、前記特性検出部で検出された検出結果が過放電とならないように、前記第１の過電圧用閾値に達すると前記昇圧部による電圧及び電流の少なくとも一方の昇圧を抑えるように制御し、前記第２の過電圧用閾値に達すると前記負荷の動作を停止させることを特徴とするアダプタ。
【請求項１２】
モータを有する電動工具本体と、電池パックとを備え、
前記電動工具本体は、前記電池パックから出力される電圧及び電流の少なくとも一方を昇圧して負荷に供給する昇圧部と、前記電池パックより出力される電圧、前記電池パックより出力される電流、前記電池パックの温度、前記負荷へ入力される電圧、前記負荷へ入力される電流、及び昇圧部の温度の少なくとも１つを検出する特性検出部と、前記昇圧部を制御して前記電池パックから出力される電圧及び電流の少なくとも一方を所定値まで昇圧するように制御するとともに、前記特性検出部で検出された少なくとも１つの検出結果が過電流又は過放電とならないように、前記昇圧部による電圧及び電流の少なくとも一方の昇圧を抑えるように制御する制御部と、
を備えたことを特徴とする電動工具。
【発明の詳細な説明】
【技術分野】
【０００１】
本発明は、アダプタ及び電動工具に関するものである。
【背景技術】
【０００２】
従来、電動工具は、電動工具本体と電池パックとの間に、定格電圧の異なる電池パックを装着可能なアダプタを備えたものが知られている。
例えば、特許文献１の電動工具では、アダプタに昇圧回路を備え、定格電圧の異なる電池パックを使用した場合でも電池パック（電源）からの供給電力（電圧）を調整して、昇圧回路により昇圧又は降圧を行って電動工具本体への供給電力を調整している。
【先行技術文献】
【特許文献】
【０００３】
【特許文献１】特開２０１２−３５３４９号公報
【発明の概要】
【発明が解決しようとする課題】
【０００４】
ところで、上記のような昇圧回路を有するアダプタ用いた電動工具では、定格電圧となるよう電池パック電圧を昇圧する必要があるため、作業時の負荷が大きくなった状態で昇圧を続けると過電流となり、電池パックが発熱し故障する可能性もある。このため、前述の過電流や過放電の可能性がある場合には、負荷（電動工具ではモータ）への電力供給を遮断して動作を停止させることが考えられるが、単に動作を停止させるだけでは電動工具等を私用する使用者の作業性が悪化する虞がある。
【０００５】
なお、アダプタの構成部品である昇圧回路等を電動工具（電動工具本体）側に備えたもの、即ちアダプタを内蔵した電動工具であっても同様のことが考えられる。
本発明は、上記課題を解決するためになされたものであって、その目的は、作業性を確保しつつ過電流又は過放電を抑えることができるアダプタ及び電動工具を提供することにある。
【課題を解決するための手段】
【０００６】
上記課題を解決するために、電池パックから出力される電圧及び電流の少なくとも一方を昇圧して負荷に供給する昇圧部と、前記電池パックより出力される電圧、前記電池パックより出力される電流、前記電池パックの温度、前記負荷へ入力される電圧、前記負荷へ入力される電流、及び前記昇圧部の温度の少なくとも１つを検出する特性検出部と、前記昇圧部を制御して前記電池パックから出力される電圧及び電流の少なくとも一方を所定値まで昇圧するように制御するとともに、前記特性検出部で検出された少なくとも１つの検出結果が過電流又は過放電とならないように、前記昇圧部による電圧及び電流の少なくとも一方の昇圧を抑えるように制御する制御部と、を備えたことを特徴とする。
【０００７】
また上記構成において、前記制御部は、前記特性検出部で検出された少なくとも１つの検出結果が過電流又は過放電とならないように、前記所定値以下の範囲で昇圧を抑えるように制御することが好ましい。
【０００８】
また上記構成において、前記特性検出部は、前記負荷に入力される電圧を検出するものであり、前記制御部は、前記特性検出部で検出された電圧値により過電流又は過放電とならないように、前記昇圧部による電圧及び電流の少なくとも一方の昇圧を抑えるように制御することが好ましい。
【０００９】
また上記構成において、前記特性検出部は、前記電池パックから供給される電圧を検出するものであり、前記制御部は、前記特性検出部で検出された電圧値により過電流又は過放電とならないように、前記昇圧部による電圧及び電流の少なくとも一方の昇圧を抑えるように制御することが好ましい。
【００１０】
また上記構成において、前記特性検出部は、前記負荷へ入力される電流又は前記電池パックから出力される電流を検出するものであり、前記制御部は、前記特性検出部で検出された電流値により過電流又は過放電とならないように、前記昇圧部による電圧及び電流の少なくとも一方の昇圧を抑えるように制御することが好ましい。
【００１１】
また上記構成において、前記特性検出部は、前記電池パックの温度又は前記昇圧部の温度を検出するものであり、前記制御部は、前記特性検出部で検出された温度により過電流又は過放電とならないように、前記昇圧部による電圧及び電流の少なくとも一方の昇圧を抑えるように制御することが好ましい。
【００１２】
また上記構成において、前記特性検出部は、前記電池パックより出力される電流、前記電池パックの温度、前記負荷へ入力される電圧、前記負荷へ入力される電流、及び昇圧部の温度の少なくとも２つを検出するものであり、前記制御部は、前記特性検出部で検出された少なくとも２つの検出結果により過電流又は過放電とならないように、前記昇圧部による電圧及び電流の少なくとも一方の昇圧を抑えるように制御することが好ましい。
【００１３】
また上記構成において、前記特性検出部は、前記電池パックから出力される電流又は前記負荷へ入力される電流と、前記電池パックから供給される電圧又は前記負荷へ入力される電圧とを検出するものであり、前記制御部は、前記特性検出部で検出した電流値が所定の電流値に達した場合で、且つ前記特性検出部で検出した電圧値が所定の電圧値以下になった場合、前記昇圧部を停止して前記電池パックから供給される電圧を前記負荷に供給することが好ましい。
【００１４】
また上記構成において、前記特性検出部は、前記電池パックの温度と、前記電池パックより出力される電流とを検出するものであり、前記電池パックの温度に応じて前記電池パックから出力される電流値が参考電流値として記憶される記憶部を備え、前記制御部は、前記特性検出部で検出された前記電池パックの温度に予め対応付けて前記記憶部に記憶される参考電流値を参照し、前記特性検出部で検出された前記電池パックより出力される電流値と前記参考電流値とを比較し、前記参考電流値よりも前記電池パックより出力される電流値が高い場合は前記昇圧部による電圧及び電流の少なくとも一方の昇圧を抑えるように制御することが好ましい。
【００１５】
また上記構成において、前記制御部は、第１の過電流用閾値と、該第１の過電流用閾値よりも過電流側となる第２の過電流用閾値とを有し、前記特性検出部で検出された検出結果が過電流とならないように、前記第１の過電流用閾値に達すると前記昇圧部による電圧及び電流の少なくとも一方の昇圧を抑えるように制御し、前記第２の過電流用閾値に達すると前記負荷の動作を停止させることが好ましい。
【００１６】
また上記構成において、前記制御部は、第１の過電圧用閾値と、該第１の過電圧用閾値よりも過放電側となる第２の過電圧用閾値とを有し、前記特性検出部で検出された検出結果が過放電とならないように、前記第１の過電圧用閾値に達すると前記昇圧部による電圧及び電流の少なくとも一方の昇圧を抑えるように制御し、前記第２の過電圧用閾値に達すると前記負荷の動作を停止させることが好ましい。
【００１７】
また、モータを有する電動工具本体と、電池パックとを備え、前記電動工具本体は、前記電池パックから出力される電圧及び電流の少なくとも一方を昇圧して負荷に供給する昇圧部と、前記電池パックより出力される電圧、前記電池パックより出力される電流、前記電池パックの温度、前記負荷へ入力される電圧、前記負荷へ入力される電流、及び昇圧部の温度の少なくとも１つを検出する特性検出部と、前記昇圧部を制御して前記電池パックから出力される電圧及び電流の少なくとも一方を所定値まで昇圧するように制御するとともに、前記特性検出部で検出された少なくとも１つの検出結果が過電流又は過放電とならないように、前記昇圧部による電圧及び電流の少なくとも一方の昇圧を抑えるように制御する制御部と、を備えたことを特徴とする。
【発明の効果】
【００１８】
本発明によれば、アダプタ及び電動工具は、作業性を確保しつつ過電流又は過放電を抑えることができる。
【図面の簡単な説明】
【００１９】
【図１】実施形態における電動工具の概略構成を説明するための電器回路図である。
【図２】同上における電動工具の概略構成を説明するためのブロック図である。
【図３】同上における電動工具の概略構成図である。
【図４】同上における電動工具を構成する電動工具本体の概略構成図である。
【図５】同上における電動工具を構成するアダプタの斜視図である。
【図６】同上における電動工具を構成する電池パックの斜視図である。
【図７】同上における電動工具の動作例を説明するための説明図である。
【図８】別例における電動工具の動作例を説明するための説明図である。
【図９】別例における電動工具の動作例を説明するための説明図である。
【図１０】別例における電動工具の動作例を説明するための説明図である。
【図１１】別例における電動工具の動作例を説明するための説明図である。
【図１２】別例における電動工具の動作例を説明するための説明図である。
【図１３】別例における電動工具の動作例を説明するための説明図である。
【図１４】別例における電動工具の動作例を説明するための説明図である。
【図１５】別例における電動工具の動作例を説明するための説明図である。
【発明を実施するための形態】
【００２０】
以下、アダプタを備えた電動工具の一実施形態を図面に従って説明する。
図１及び図３に示すように、本実施形態の電動工具１０は、電動工具本体１１と、電池パック１２と、電動工具本体１１及び電池パック１２間に設けられるアダプタ１３とを有する。
【００２１】
図４に示すように電動工具本体１１は、略筒状のハウジング２１と、このハウジング２１から側方に延出する把持部２２とを備える。電動工具本体１１は、図１及び図４に示すように前記ハウジング２１内に負荷としてのモータ２３が収容されている。このモータ２３は、複数のギア列により構成された減速機構（図示略）と連結されており、この減速機構を介して工具本体１１の出力部２４に駆動力を伝達する。出力部２４は、ハウジング２１の先端側に回転可能に設けられ、その先端に先端工具（ビット）が取着可能に構成される。
【００２２】
図１及び図４に示すように、把持部２２には、使用者が電動工具１０の運転・停止を指示するためのトリガスイッチ２５が設けられている。このトリガスイッチ２５は、その引き込み量を調整することでモータ２３への電力供給量を調整してモータ２３の回転速度の調整が可能となっている。
【００２３】
また、電動工具本体１１の把持部２２には、その下端にアダプタ１３又は電池パック１２を装着するための装着部２６が備えられる。装着部２６は、アダプタ１３又は電池パック１２のいずれかが選択的に装着されるものである。本実施形態の装着部２６は、把持部２２の下端面に設けられた凹部２７と、この凹部２７の内周面に設けられた端子とを有しており、所謂差込式の装着部２６とされる。装着部２６の端子は、図１に示すように、電池パック１２の正極側に接続される第１の工具側端子２８と、電池パック１２の負極側に接続される第２の工具側端子２９とを有している。また、装着部２６は、アダプタ１３又は電池パック１２に設けられる被係止部４９，３４に対応して係合する係止部３０を備え、アダプタ１３の差込凸部４４又は電池パック１２の差込部３１が所定の位置まで差し込まれるとアダプタ１３又は電池パック１２の抜けが阻止されるようになっている。装着部２６は、アダプタ１３又は電池パック１２が所定の位置まで差し込まれると、被係止部４９，３４と係止部３０とが係合するのと同時に、その端子２８，２９がアダプタ１３の端子４５，４６又は電池パック１２の端子３２，３３と接触して電気的に接続される。
【００２４】
電池パック１２は、図６に示されるように、上方に向けて突出する差込部３１を有している。この差込部３１は、その先端部分に端子３２，３３を有している。この端子は、図１に示されるように、正極側の第１の電源側端子３２と、負極側の第２の電源側端子３３とから構成されている。電池パック１２は、充電可能な電池を内蔵している。この電池は、例えば、リチウムイオン電池などの二次電池で構成される。本実施形態では、複数種の電池パック１２を備えており、これらは互いに電圧が相違している。なお本実施形態の電池パック１２は、いずれも同形状の差込部３１を有しており、その装着方法はいずれも同じである。また、電池パック１２は差込型に限らず、例えば工具本体１１の把持部２２の下面において把持部の延出方向と略直交する方向にスライドさせて着脱可能な構成としてもよい。
【００２５】
アダプタ１３は、電動工具本体１１と電池パック１２との間に装着され、着脱可能に構成される。アダプタ１３は、電池パック１２の電圧を電動工具本体１１の定格電圧に変換するものである。アダプタ１３は、図５に示されるように、アダプタ本体４１と、電動工具本体１１に接続される工具接続部４２と、電池パック１２に接続される電池接続部４３とを備えている。この工具接続部４２は、アダプタ本体４１の一端面（上面）から突出した差込凸部４４によって構成されており、この差込凸部４４が電動工具本体１１の把持部２２の凹部２７に嵌入される。差込凸部４４は、その先端に、電動工具本体１１の端子に電気的に接続される出力側端子４５，４６を有している。この出力側端子は、第１の工具側端子２８に接続される第１の出力側端子４５と、第２の工具側端子２９に接続される第２の出力側端子４６とから構成されている。電池接続部４３はアダプタ本体４１の他端面（下面）に設けられている。この電池接続部４３は、電池パック１２の差込部３１が挿入可能な差込凹部（図示せず）によって構成されている。この差込凹部は、その内周面に、電池パック１２の端子に電気的に接続される入力側端子４７，４８を有している。この入力側端子は、第１の電源側端子３２に接続される第１の入力側端子４７と、第２の電源側端子３３に接続される第２の入力側端子４８とから構成されている。
【００２６】
また、アダプタ１３は、電池パック１２の電圧を昇圧して電動工具本体１１の定格電圧に変換する昇圧回路５１を備える。この昇圧回路５１は、図１に示すように、第１の入力側端子４７と第１の出力側端子４５との間に、コイル５２とダイオード５３とが順に接続されている。昇圧回路５１は、コイル５２と第２の入力側端子４８との間に、スイッチング素子（ＦＥＴ）５４が接続されている。このスイッチング素子５４のゲートには制御回路５５が接続されており、制御回路５５によりスイッチング素子５４のＯＮ／ＯＦＦが制御される。また、制御回路５５には、特性検出回路５６が接続されており、この特性検出回路５６で検出した検出値に応じて、制御回路５５によりスイッチング素子５４のＯＮ／ＯＦＦやデューティ比を制御している。また、昇圧回路５１は、アダプタ１３の出力側に平滑コンデンサ５７が接続されている。
【００２７】
図２に示すように特性検出回路５６は、電圧検出部６１と、電流検出部６２とを備える。電圧検出部６１は、電池パック１２の電圧として第１の入力側端子４７と第２の入力側端子４８との間の電圧Ｖｉｎを検出する電池電圧検出部６１ａと、負荷電圧として第１の出力側端子４５と第２の出力側端子４６との間の電圧Ｖｏｕｔを検出する負荷電圧検出部６１ｂとを有する。電流検出部６２は、電池パック１２から出力される電流として入力側端子４７とコイル５２との間を流れる電流Ｉｉｎと、負荷（モータ２３）側に出力される電流としてダイオード５３と出力側端子４５との間に流れる出力電流Ｉｏｕｔを検出する。
【００２８】
図１及び図２に示すように、制御回路５５は、前述の検出結果が電動工具本体１１の所定の電圧・電流に適合した値になるように、スイッチング素子５４のＯＮ／ＯＦＦやデューティ比を制御する。制御回路５５は、スイッチング素子５４のＯＮ／ＯＦＦを繰り返すように制御し、コイル５２に電磁エネルギーを蓄えさせる。所定のエネルギーがコイル５２に蓄えられた時点で、制御回路５５はスイッチング素子５４をＯＦＦ制御し、コイル５２に蓄えられた電磁エネルギーが放出される。その結果、アダプタ１３の出力電圧が昇圧され、この昇圧した電圧が電動工具本体１１（モータ２３）に印加される。
【００２９】
次に、本実施形態の電動工具１０の一動作例（作用）について図７を用いて説明する。
電動工具本体１１のトリガスイッチ２５が引き込まれると、電池パック１２から電力供給が開始されて、制御回路５５は、昇圧回路５１のスイッチング素子５４をＰＷＭ制御して昇圧を開始させる。このとき、制御回路５５は、特性検出回路５６を介して昇圧（負荷）電圧Ｖｏｕｔと、負荷側に出力される電流（負荷電流）Ｉｏｕｔと、電池パック１２から出力される電流Ｉｉｎとを監視する。そして、制御回路５５は、負荷電圧Ｖｏｕｔが電動工具本体１１に適合した値（本実施形態の場合定格電圧）に達すると、負荷電圧Ｖｏｕｔがその定格電圧を超えないように電流及び電圧の少なくとも一方を制御して、例えば電池パック１２から出力される電流Ｉｉｎを抑える。これにより、電池パック１２に対して過電流となることを抑えることができる。
【００３０】
次に、本実施形態の効果を記載する。
（１）アダプタ１３の制御回路５５は、昇圧回路５１を制御して電池パック１２から出力される電圧及び電流の少なくとも一方を所定値まで昇圧するように制御するとともに、特性検出回路５６で検出された少なくとも１つの検出結果が過電流又は過放電とならないように、昇圧回路５１による電圧及び電流の少なくとも一方の昇圧を抑えるように制御する。ここで、昇圧を抑えるため、モータ２３に対しての電力供給は継続しているため、作業性を確保しつつ、過電流又は過電圧となることを抑えることができる。
【００３１】
（２）制御回路５５は、特性検出回路５６で検出された少なくとも１つの検出結果が過電流又は過放電とならないように、前記所定値（例えば定格電圧）以下の範囲で昇圧を抑えるように制御する。これにより、より確実に過電流又は過放電を抑えることが可能となる。
【００３２】
（３）特性検出回路５６は、前記モータ２３に入力される電圧を検出するものであり、制御回路５５は、特性検出回路５６で検出された電圧値により過電流又は過放電とならないように、昇圧回路５１による電圧及び電流の少なくとも一方の昇圧を抑えるように制御する。これにより、モータ２３に対しての電力供給は継続しているため、作業性を確保しつつ、過電流又は過電圧となることを抑えることができる。
【００３３】
尚、本発明の実施形態は、以下のように変更してもよい。
・例えば、制御回路５５は、図８に示すように、特性検出回路５６を介して電池パック１２の電圧Ｖｉｎが所定値以下にならないように、電流及び電圧の少なくとも一方を制御して、例えば負荷電流Ｉｏｕｔの増加（昇圧）を抑える。これにより、電池パック１２に対して過放電となることを抑えることができる。
【００３４】
・例えば、制御回路５５は、図９に示すように、特性検出回路５６を介して電池パック１２から出力される電流Ｉｉｎが所定値に達すると、それ以上の増加を抑えるべく、スイッチング素子５４をＰＥＷ制御して例えば昇圧電圧を減少させる。これにより、電池パック１２に対して過放電・過電流となることを抑えることができる。
【００３５】
・上記実施形態では、特に言及していないが、特性検出回路５６により電池パック温度Ｔｖ又は昇圧回路等を含む回路の温度（例えば特性検出回路温度Ｔｓ、制御回路温度Ｔｍ、コイル温度Ｔｉ、ダイオード温度Ｔｄ、スイッチング素子の温度Ｔｆ、コンデンサの温度Ｔｃのいずれか１つ以上）を検出する温度検出部６３を備える構成を採用してもよい。ここで、図１０に示すようにスイッチング素子の温度Ｔｆを特性検出回路５６の温度検出部６３によりしたとすると、制御回路５５は、スイッチング素子５４の温度Ｔｆが所定値に達すると、それ以上の増加を抑えるべく、スイッチング素子５４をＰＥＷ制御して例えば昇圧電圧を減少させる。これにより、電池パック１２に対して過放電・過電流となることを抑えることができる。
【００３６】
また、例えば、特性検出回路５６に電圧検出部６１と、電流検出部６２と、温度検出部６３の少なくとも２つを備え、これらで検出される検出結果を２つ以上用いて、制御回路５５により昇圧の抑制を行う制御を実施してもよい。図１１には、電池パック電流Ｉｉｎと、負荷電圧Ｖｏｕｔとを特性検出回路５６により検出した場合の一例を示している。図１１に示すように電池パック電流Ｉｉｎと、負荷電圧Ｖｏｕｔとを検出して、この検出結果に基づいて制御回路５５は電流及び電圧の少なくとも一方の昇圧を抑える。これにより、電池パック１２に対して過放電・過電流となることを抑えることができる。
【００３７】
また、例えば、特性検出回路５６は電流検出部６２と温度検出部６３とを備える。制御回路５５は、図２に示すように、電池パック温度Ｔｖと電池パック１２から出力される電流Ｉｉｎとが対応付けられて記憶された温度−電流変換テーブル（図１３において関数ｆ）を記憶する記憶部５５ａを備える。そして、制御回路５５は、温度検出部６３で検出された電池パック温度Ｔｖから、温度−電流変換テーブルを参照して参考電流値を求め、電流検出部６２で検出した電流Ｉｉｎが参考電流値より高い場合は、昇圧を抑制する。なお、図１３において関数ｆは正比例としたが、必ずしもこれには限らない。
【００３８】
・例えば、図１２に示すように、制御回路５５は、電流検出部６２で検出した電流Ｉｉｎ又は電流Ｉｏｕｔの電流値が所定の電流値に達し、特性検出回路５６で検出した電圧Ｖｉｎ又は電圧Ｖｏｕｔが所定の電圧値以下になった場合、昇圧回路５１を停止して前記電池パックから供給される電圧を前記モータ２３に供給する。このような構成とすることで、昇圧回路５１による電池パック１２に対する過放電・過電流を抑えることができる。
【００３９】
・例えば、図１４に示すように第１の過電流用閾値Ｉ１と、該第１の過電流用閾値Ｉ１よりも過電流側となる第２の過電流用閾値Ｉ２とを有し、特性検出回路５６で検出された検出結果が過電流とならないように、前記第１の過電流用閾値Ｉ１に達すると昇圧回路５１による電圧及び電流の少なくとも一方の昇圧を抑えて負荷電圧Ｖｏｕｔを減少させる。さらに、制御回路５５は、前記第２の過電流用閾値Ｉ２に達すると前記モータ２３の動作を停止させる。このような構成とすることで、電池パック１２の破損を抑えることができる。
【００４０】
・例えば、図１５に示すように第１の過電圧用閾値Ｖ１と、該第１の過電圧用閾値Ｖ１よりも過放電側となる第２の過電圧用閾値Ｖ２とを有し、特性検出回路５６で検出された検出結果が過放電とならないように、第１の過電圧用閾値Ｖ１に達すると昇圧回路５１による電圧及び電流の少なくとも一方の昇圧を抑えて負荷電圧Ｖｏｕｔを減少させる。さらに、制御回路５５は、前記第２の過電圧用閾値Ｖ２に達すると前記２３の動作を停止させる。このような構成とすることで、電池パック１２の破損を抑えることができる。
【００４１】
・上記実施形態では、アダプタ１３を備えた電動工具１０について言及したが、これに限らない。例えば、例えば、クリーナー（掃除機）、ブロワー（送風機）又は照明装置等においても同様にアダプタ１３を備えてもよい。
【００４２】
次に、上記実施形態及び別例から把握できる技術的思想を以下に追記する。
（イ）  電池パックと電動工具本体との間に請求項１〜１０のいずれか一項に記載のアダプタを備えたことを特徴とする電動工具。
【符号の説明】
【００４３】
１０…電動工具、１１…電動工具本体、１２…電池パック、１３…アダプタ、２３…モータ（負荷）、５１…昇圧回路（昇圧部）、５５…制御回路（制御部）、５５ａ…記憶部、５６…特性検出回路（特性検出部）、Ｉ１…第１の過電流用閾値、Ｉ２…第２の過電流用閾値、Ｖ１…第１の過電圧用閾値、Ｖ２…第２の過電圧用閾値。
【図１】
2014036521.tif 000003
【図２】
2014036521.tif 000004
【図３】
2014036521.tif 000005
【図４】
2014036521.tif 000006
【図５】
2014036521.tif 000007
【図６】
2014036521.tif 000008
【図７】
2014036521.tif 000009
【図８】
2014036521.tif 000010
【図９】
2014036521.tif 000011
【図１０】
2014036521.tif 000012
【図１１】
2014036521.tif 000013
【図１２】
2014036521.tif 000014
【図１３】
2014036521.tif 000015
【図１４】
2014036521.tif 000016
【図１５】
2014036521.tif 000017